(57)【要約】      （修正有）【課題】ポット苗を搬送トレーの全面に均一に作業性良く詰め込めることができ、確実にポット苗の飛び出し防止効果を得ることができる飛び出し防止具を提供する。【解決手段】上面が開口する搬送トレー１１の対向する周壁の上縁に掛け渡して使用する飛び出し防止具１０を、搬送トレー１１内に縦横に整列させた状態で詰められるポット苗１の列と列の間を区切るように配置される縦桟１４と、この縦桟１４の上縁に設けられる、縦桟１４に対して直交する方向に張り出し、育苗ポット３の開口部の上縁に位置するストッパー翼１５とを有し、このストッパー翼１５の数を、縦桟１４の方向のポット苗１の段数と一致させ、これらのストッパー翼１５相互間の距離を、育苗ポット３の開口部の径に合わせて設定し、かつ、両端側のストッパー翼１５から搬送トレー１１の周壁までの距離を、育苗ポット３の開口部の径の半分の距離に設定するようにした。【選択図】図３
2011010633.tif 000002
【特許請求の範囲】
【請求項１】
上面が開口する搬送トレーの対向する周壁の上縁に掛け渡され、搬送トレー内に縦横に整列させた状態で詰められるポット苗の列と列の間を区切るように配置される縦桟と、この縦桟の上縁に設けられる、縦桟に対して直交する方向に張り出し、育苗ポットの上縁に位置するストッパー翼とを有し、上記ストッパー翼の数を、縦桟方向のポット苗の数と一致させ、ストッパー翼相互間の距離をポットの開口部の径に合わせて設定し、両端側のストッパー翼から搬送トレーの周壁までの距離をそれぞれ、育苗ポットの開口部の径の半分の距離に設定したことを特徴とする搬送トレーにおけるポット苗の飛び出し防止具。
【請求項２】
上記ストッパー翼が縦桟の両側に張り出している請求項１記載の搬送トレーにおけるポット苗の飛び出し防止具。
【請求項３】
上記縦桟の両端に、搬送トレーの周壁の上縁の鍔部に対して着脱自在に係合する係合部を有する請求項１又は２記載の搬送トレーにおけるポット苗の飛び出し防止具。
【請求項４】
上記係合部が、搬送トレーの周壁の上縁の鍔部に載置される係合板と、この係合板の裏面に設けられた、搬送トレーの周壁に設けた係合孔に挿入する係合突起とからなる請求項１〜３のいずれかの項に記載の搬送トレーにおけるポット苗の飛び出し防止具。
【請求項５】
上記係合板の上面に、搬送トレーの鍔部の内側線に沿う溝を形成し、この溝によって、一方の係合板の係合突起だけを搬送トレーの鍔部の係合孔に嵌め入れた状態で、縦桟を上方に折り曲げることができるようにした請求項４に記載の搬送トレーにおけるポット苗の飛び出し防止具。
【請求項６】
上記請求項１〜５のいずれかの項に記載の搬送トレーにおけるポット苗の飛び出し防止具を、対向する周壁の上縁部に掛け渡したことを特徴とするポット苗搬送トレー。
【発明の詳細な説明】
【技術分野】
【０００１】
この発明は、育苗ポットに苗が植え付けられたポット苗を、上面が開口するカゴ型の樹脂製の搬送トレーに、縦横に整列させた状態に詰めて農家から出荷した際に、搬送途中の振動等により、ポット苗が搬送トレーから飛び出さないようにするために使用するポット苗の飛び出し防止具に関する。
【背景技術】
【０００２】
ポット苗１は、図１１（ａ）（ｂ）に示すように、苗２が鉢型に形成された比較的に柔らかい樹脂製や紙製の育苗ポット３に植え付けられており、花苗や野菜苗として広く流通している。このようなポット苗１は、図１２に示すような、カゴ型の樹脂製の搬送トレー４に詰められて農家から出荷されている。
【０００３】
搬送トレー４には、図１３の概略図に示すように、縦横に整列した状態でポット苗１が詰められている。図１３に示す例では、横方向に５列並べられ、縦に８段、計４０個のポット苗１が詰められている。
【０００４】
ところで、カゴ型の樹脂製の搬送トレー４は、上面が開口しているため、搬送途中におけるトラックの振動や、積み下ろしの際の衝撃等により、ポット苗１が搬送トレー４から飛び出すことがある。
【０００５】
搬送トレー４からポット苗１が飛び出すと、育苗ポット３内の土がこぼれたり、枝や葉が傷つけられたりして、ポット苗１の商品価値を毀損することになる。ポット苗１が傷つけられると、傷つけられたポット苗１だけでなく、搬送トレー４に詰められた全体のポット苗１が返品されることが多く、出荷元にとって大きな損失となる。
【０００６】
また、搬送業者も責任問題が生じることから、カゴ型の搬送トレー４に詰められたポット苗１を搬送する際には、必要以上に慎重にならざるを得ず、迅速な搬送作業に支障が生じるという問題があった。
【０００７】
このため、従来、図４に示すように、ポット苗１の飛び出しを防止する飛び出し防止具５を搬送トレー４に装着する技術が特許文献１に開示されている。
【先行技術文献】
【特許文献】
【０００８】
【特許文献１】特開２００４−１２１０８９号公報
【発明の概要】
【発明が解決しようとする課題】
【０００９】
この特許文献１に開示されたポット苗１の飛び出し防止具５は、搬送トレー４に掛け渡す広巾の桟形状に形成されており、次のような手順で搬送トレー４に装着される。
【００１０】
例えば、図１１（ｂ）に示すような、育苗ポット３に対して苗２の大きさが小さいような場合は、ポット苗１を搬送トレー４の全面に詰めた後でも、隣り合う苗ポット１と苗ポット１の間の上方に十分な空間が存在するため、飛び出し防止具５を上方から搬送トレー４の開口部の縁に掛け渡して、飛び出し防止具５によって育苗ポット３の縁の部分を押えることができる。
【００１１】
ところが、図１１（ａ）に示すような、育苗ポット３の上縁の開口部よりも、葉が大きく外側に広がったように茂っているポット苗１の場合には、ポット苗１を搬送トレー４の全面に詰めると、葉が搬送トレー４の全面に隙間なく広がるため、飛び出し防止具５を、上方から搬送トレー４に装着すると、飛び出し防止具５によって葉を挟み、葉を傷つけてしまう。
【００１２】
通常、農家では、搬送トレー４にポット苗１を詰める場合には、図１４に示すように、搬送トレー４を斜めにした状態でポット苗１を一段ずつ詰め込んでいる。
【００１３】
したがって、飛び出し防止具５を使用する場合には、飛び出し防止具５が滑り落ちないように片手で支えながら、一段目のポット苗１を並べ、それから飛び出し防止具５をスライドさせて育苗ポット３を飛び出し防止具５によって押えるようにしている。
【００１４】
ところが、飛び出し防止具５が滑り落ちないように片手で支えながら、ポット苗１を一段並べては、飛び出し防止具５を一々スライドさせるという作業は、作業性が悪く、詰め込み作業に時間がかかるという問題があった。
【００１５】
また、飛び出し防止具５をスライドさせて段毎のポット苗１を押える際に、飛び出し防止具５を強くスライドさせすぎると、ポット苗１の土が固く締めつけられることになり、根に負担を掛けるという問題がある。
【００１６】
さらに、飛び出し防止具５を強くスライドさせすぎると、ポット苗１がどんどん偏ったように搬送トレー４に詰められるため、最終段のポット苗１を詰める搬送トレー４の空間が空きすぎて、飛び出し防止具５とポット苗１との間に生じる隙間によって、飛び出し防止効果が得られないという問題もあった。
【００１７】
そこで、この発明は、ポット苗が搬送トレーの片方に偏ることなく、ポット苗を搬送トレーの全面に均一に作業性良く詰め込めることができ、確実にポット苗の飛び出し防止効果を得ることができる飛び出し防止具を提供することを技術的課題とするものである。
【課題を解決するための手段】
【００１８】
この発明は、上記の課題を解決するために、ポット苗搬送トレーにおけるポット苗の飛び出し防止具を次のように構成したものである。
即ち、この発明に係るポット苗の飛び出し防止具は、上面が開口する搬送トレーの対向する周壁の上縁に掛け渡され、搬送トレー内に縦横に整列させた状態で詰められるポット苗の列と列の間を区切るように配置される縦桟と、この縦桟の上縁に設けられる、縦桟に対して直交する方向に張り出し、育苗ポットの開口部の上方に位置するストッパー翼とを有し、このストッパー翼の数を、縦桟方向のポット苗の段数と一致させ、これらのストッパー翼相互間の距離を、育苗ポットの開口部の径に合わせて設定し、かつ、両端側のストッパー翼から搬送トレーの周壁までの距離を、育苗ポットの開口部の径の半分の距離に設定したものである。
【００１９】
なお、この発明において、育苗ポットの開口部の径とは、丸型タイプの育苗ポットの場合は、直径を意味し、角型、即ち、角部が少し丸い正方形の育苗ポットの場合は、開口部の一辺の長さをいうものとする。
【００２０】
上記ストッパー翼は、縦桟の両側に張り出し、張り出し量は育苗ポットの開口部の径の約１／３程度にしている。
【００２１】
また、上記縦桟の両端には、搬送トレーの周壁の上縁部に対して着脱自在に係合する係合部を設けている。
【００２２】
上記係合部は、搬送トレーの周壁の上縁の鍔部に載置される係合板と、この係合板の裏面に設けられた、搬送トレーの鍔部に設けた係合孔に挿入する係合突起とによって形成することができる。
【発明の効果】
【００２３】
この発明に係るポット苗の飛び出し防止具は、搬送トレー内に縦横に整列させた状態で詰められるポット苗の列と列の間に位置するように、搬送トレーに掛け渡して使用する。
【００２４】
この飛び出し防止具は、ポット苗の列と列の間を区切るように配置される縦桟に対して直交する方向に、育苗ポットの上縁に位置するようにストッパー翼が張り出しており、この隣り合うストッパー翼の間の距離を育苗ポットの開口部の径に合わせて設定しているので、育苗ポットから苗の葉がはみ出すようなポット苗も、隣り合うストッパー翼の間を通して支障なく搬送トレーに収容することできる。
【００２５】
そして、両端側に位置するストッパー翼は、搬送トレーの周壁からポットの開口部の径の半分の距離に位置しているため、隣り合うストッパー翼の間を通して搬送トレーに収容し、そのポット苗を搬送トレーの周壁側に向けて育苗ポットの径の半分の距離を移動させることにより、ストッパー翼が育苗ポットの開口部の略中央上方に張り出す。
【００２６】
通常、農家では、搬送トレーを斜めにしてポット苗の収容作業を行っているので、隣り合うストッパー翼の間を通してポット苗を搬送トレーに収容すると、自重でポット苗が搬送トレーを滑って、ストッパー翼が張り出した位置にポット苗が移動する。
【００２７】
したがって、ポット苗を、隣り合うストッパー翼の間を通して搬送トレー内に収容するという作業を繰り返すことにより、張り出したストッパー翼に邪魔されることなく、ポット苗を搬送トレー内に収容することができ、ポット苗が育苗ポットの径の半分だけ移動すると、ストッパー翼が育苗ポットの開口部の略中央の位置に張り出し、張り出したストッパー翼によってポット苗の飛び出しが防止される。
【図面の簡単な説明】
【００２８】
【図１】この発明に係るポット苗の飛び出し防止具と搬送トレーを示す平面図である。
【図２】この発明に係るポット苗の飛び出し防止具と搬送トレーに装着した状態を示す平面図である。
【図３】この発明に係るポット苗の飛び出し防止具の使用状態を示す概略平面図である。
【図４】（ａ）はこの発明に係るポット苗の飛び出し防止具の平面図、（ｂ）は（ａ）のＡ部分の拡大平面図、（ｃ）は（ａ）のＡ部分の拡大側面図、（ｄ）は（ａ）のＡ部分の拡大背面図、（ｅ）は（ａ）のＢ部分の拡大平面図、（ｆ）は（ａ）のＢ部分の拡大側面図、（ｇ）は（ａ）のＢ部分の拡大縦断正面図である。
【図５】この発明に係るポット苗の飛び出し防止具と搬送トレーとを示す部分拡大図である。
【図６】この発明に係るポット苗の飛び出し防止具の係合部の変形例と搬送トレーとを示す部分拡大図である。
【図７】この発明に係るポット苗の飛び出し防止具の使用状態を示す斜視図である。
【図８】図７の使用状態の概略平面図である。
【図９】この発明に係るポット苗の飛び出し防止具の使用状態を示す縦断正面図である。
【図１０】この発明に係るポット苗の飛び出し防止具の変形例の使用状態を示す概略平面図である。
【図１１】（ａ）（ｂ）はポット苗の一例を示す正面図である。
【図１２】搬送トレーの平面図である。
【図１３】搬送トレーにポット苗を詰め込んだ状態の概略平面図である。
【図１４】従来のポット苗の飛び出し防止具の使用状態を示す斜視図である。
【発明を実施するための形態】
【００２９】
この発明の実施形態を、図面に基づいて具体的に説明する。
図１は、この発明に係るポット苗の飛び出し防止具１０と、この飛び出し防止具１０を装着するカゴ型の搬送トレー１１の実施形態を示す平面図である。
【００３０】
図２は、搬送トレー１１に、４本の飛び出し防止具１０を平行に４列均等に装着した平面図であり、搬送トレー１１には、図１に示すように、対向する周壁の２辺の開口縁の鍔部１２に、飛び出し防止具１０を取り付けるための係合孔１３を等間隔に４カ所設けている。
【００３１】
図３は、この実施形態の飛び出し防止具１０を使用した搬送トレー１１に、ポット苗１を収容した状態を示す概略平面図である。図３の搬送トレー１１には、横に５列、縦に８段の計４０個のポット苗１が収容される。
【００３２】
この発明に係る飛び出し防止具１０は、図３に示すように、上面が開口する搬送トレー１１の対向する周壁の上縁の鍔部１２に掛け渡され、搬送トレー１１内に縦横に整列させた状態で詰められるポット苗１の列と列の間を区切るように配置される縦桟１４と、この縦桟１４の上縁に設けられる、縦桟１４に対して直交する方向に張り出し、ポット苗１の苗２が植え付けられた育苗ポット３の上縁に張り出すストッパー翼１５とを有する。
【００３３】
上記ストッパー翼１５の数は、縦桟１４の長さ方向のポット苗１の段数と同じ数、即ち、図３では、ポット苗１を８段収容するので、８本のストッパー翼１５を縦桟１４の両側に張り出すように設けている。
【００３４】
８本のストッパー翼１５の各ストッパー翼１５相互間の距離（図３のａ）は、育苗ポット３の開口部の径（図３のｂ）と略同一に設定している。また、両側のストッパー翼１５と搬送トレー１１の周壁までの距離は、それぞれ育苗ポット１の開口部の径ｂの略半分の距離（ｂ／２）に設定している。ここで、径とは、前記のように、丸型タイプの育苗ポットの場合は、直径を意味し、角型、即ち、角部が少し丸い正方形の育苗ポットの場合は、開口部の一辺の長さをいうものとする。
【００３５】
上記ストッパー翼１５は、図４（ｅ）〜（ｇ）の拡大図に示すように、先端が少し細くなった板形状をしており、その変形を防止するために、その上面に、中央部が高く、先端に向かって次第に低くなるリブ１６を形成している。
【００３６】
縦桟１４は、図４（ｇ）に示すように、下方に向かって次第に厚みが薄くなるように形成されている。
【００３７】
また、上記縦桟１４の両端には、図４（ａ）に示すように、搬送トレー１１の周壁の上縁の鍔部１２に対して着脱自在に係合する係合部１７を設けている。
【００３８】
上記係合部１７は、図４（ｂ）〜（ｄ）に示すように、搬送トレー１１の周壁の上縁の鍔部１２に載置される係合板１８と、この係合板１８の裏面に設けられた、搬送トレー１１の周壁に設けた係合孔１３に挿入する係合突起１９とによって形成されている。
【００３９】
上記係合板１８の上面には、係合板１８を搬送トレー１１の周壁の上縁の鍔部１２に載置した状態で、搬送トレー１１の鍔部１２の内側線に沿って、溝２０を形成しており、この溝２０によって、図５の破線で示すように、一方の係合板１８の係合突起１９だけを搬送トレー１１の鍔部１２の係合孔１３に嵌め入れた状態で、縦桟１４を上方に折り曲げることができるようにしている。
【００４０】
これにより、他方の係合突起１９を搬送トレー１１の鍔部１２の係合孔１３から外し、縦桟１４を溝２０の部分で上方に折り曲げた状態でも、ポット苗１の収納作業を行うことができる。このようにして行うポット苗１の収納作業は、図１１（ｂ）に示すような、育苗ポット３に対して小さな苗２のポット苗１を収容する際に便利である。なぜなら、苗２の小さなポット苗１は、搬送トレー１１の全面に詰め込んでも、隣り合うポット苗１とポット苗１の間の上部に十分な空間が空くので、搬送トレー１１の全面に詰め込んでからでも、縦桟１４を降ろしてストッパー翼１５を育苗ポット３の開口縁の上方に張り出させることができるからである。
【００４１】
上記係合突起１９は、軸部２１の先端に、搬送トレー１１の周壁に設けた係合孔１３に挿入した状態で、搬送トレー１１の周壁の上縁の鍔部１２の裏面側に突出して係合孔１３に引っ掛かる膨出部２２を形成している。この軸部２１の長さは、係合突起１９を係合孔１３に挿入した状態で、膨出部２２が搬送トレー１１の鍔部１２の裏面にぴったりと引っ掛かる長さに形成してもよいし、軸部２１を長めに形成して、係合突起１９を搬送トレー１１の係合孔１３に挿入した状態で、係合突起１９が若干上下に動くようにしてもよい。
【００４２】
上記係合板１８の外側の端部には、図５に示すように、搬送トレー１１の鍔部１２の外周部に設けた垂下り壁２３に引っ掛かる垂下り壁２４を設けている。
【００４３】
以上の実施形態では、係合板１８に係合突起１９を設け、この係合突起１９を搬送トレー１１の鍔部１２に設けた係合孔１３に挿入して、飛び出し防止具１０を搬送トレー１１に装着するようにしているが、図６に示すように、係合板１７の垂下り壁２４の下端に、搬送トレー１１の垂下り壁２３の下端に引っ掛かる係合壁２５を設けるようにして、飛び出し防止具１０を搬送トレー１１に装着するようにしてもよい。
【００４４】
次に、この発明に係る飛び出し防止具１０を装着した搬送トレー１１に、ポット苗１を収容する手順について説明する。
まず、図２に示すように、搬送トレー１１に、飛び出し防止具１０を４本平行に取付ける。
【００４５】
この後、図７に示すように、搬送トレー１１を斜めにして、下の段からポット苗１を上段に向かって順々に詰めていく。
【００４６】
ポット苗１の収容作業は、図７及び図８に示すように、飛び出し防止具１０の隣り合うストッパー翼１５とストッパー翼１５との間にポット苗１を挿入し、それからポット苗１をストッパー翼１５相互間の間隔の半分のピッチ分だけ、下方にずらして、ポット苗１の育苗ポット３の開口部の略中央にストッパー翼１５を位置させるようにして行う。図７及び図８は、３段目のポット苗１を収容している状態を示している。なお、搬送トレー１１を斜めにしてポット苗１の収容作業を行うと、自重によりポット苗１が半ピッチ分だけずれ動くことが多いので、一々ポット苗１をずれ動かす必要がない。
【００４７】
このようにして、ポット苗１を下段から上段に向かって７段目まで詰める。最上段の８段目は、ポット苗１を上方のストッパー翼１５の相互間から挿入して下方にずらすということができないので、８段目だけは、ポット苗１の育苗ポット３の開口縁部を少し折り曲げるなどして、苗２を傷つけないようにして、ポット苗１を搬送トレー１１に詰める。
【００４８】
以上のようにして、ポット苗１を搬送トレー１１に詰めると、図９に示すように、ポット苗１の列と列の間が縦桟１４によって仕切られ、各ポット苗１の育苗ポット３の開口縁の略中央上方にストッパー翼１５が張り出した状態になるため、ポット苗１の搬送トレー１１からの飛び出しを防止できる。
【００４９】
なお、以上の実施形態のストッパー翼１５は、付け根部分に少しＲを付けて太くしているが、ストッパー翼１５の形状は、ストッパー翼１５とストッパー翼１５との間に、円筒形の育苗ポット３が支障なく入る大きさの空間を残せばよいので、ストッパー翼１５の形状を、例えば、図１０に示すように、もっと大きくしてもよい。また、その形状も、円筒形の育苗ポット３が支障なく入る大きさの空間が残る範囲内であれば、特に限定はされない。
【符号の説明】
【００５０】
１  ポット苗
２  苗
３  育苗ポット
１０  飛び出し防止具
１１  搬送トレー
１２  鍔部
１３  係合孔
１４  縦桟
１５  ストッパー翼
１６  リブ
１７  係合部
１８  係合板
１９  係合突起
２０  溝
２１  軸部
２２  膨出部
２３  垂下り壁
２４  垂下り壁
２５  係合壁
【図１】
2011010633.tif 000003
【図２】
2011010633.tif 000004
【図３】
2011010633.tif 000005
【図４】
2011010633.tif 000006
【図５】
2011010633.tif 000007
【図６】
2011010633.tif 000008
【図７】
2011010633.tif 000009
【図８】
2011010633.tif 000010
【図９】
2011010633.tif 000011
【図１０】
2011010633.tif 000012
【図１１】
2011010633.tif 000013
【図１２】
2011010633.tif 000014
【図１３】
2011010633.tif 000015
【図１４】
2011010633.tif 000016